(57)【要約】【課題】計器データの管理を効率的に行うことができる計器保守管理システムを提供する。【解決手段】計器の保守管理に必要な計器データを管理するための計器保守管理システム１００であって、サーバＰＣ１０は、記憶部１１を備え、クライアントＰＣ２０は、計器データを計器番号と共に入力して記憶部１１に送信する入力部２１と、記憶部１１を参照して指定された計器番号に関連付けられた計器データを抽出して出力する出力部２２と、を備える。サーバＰＣ１０及びクライアントＰＣ２０は、ＬＡＮ３０に接続され、このＬＡＮ３０には、モバイルＰＣ４０がネットワーク５０を介して接続可能となっている。このモバイルＰＣ４０は、入力部４１と、出力部４２と、を備えている。【選択図】図１
2010008221.tif 000002
【特許請求の範囲】
【請求項１】
計器の保守管理に必要な計器データを管理するための計器保守管理システムであって、
計器データを計器番号と共に入力する入力部と、
前記入力部から入力された前記計器データと前記計器番号とを関連付けて記憶する記憶部と、
前記記憶部を参照して指定された計器番号に関連付けされた計器データを抽出するとともに、該計器データを出力する出力部と、
を備えることを特徴とする計器保守管理システム。
【請求項２】
請求項１に記載の計器保守管理システムにおいて、
前記出力部は、前記計器番号と関連付けされた計器データを含む校正入力画面を表示する手段を備え、
前記入力部は、前記校正画面に計器データとしての校正結果を入力する手段を備えることを特徴とする計器保守管理システム。
【請求項３】
請求項１又は２に記載の計器保守管理システムにおいて、
前記出力部は、前記入力部から入力した計器データが所定の許容範囲内か否かを自動判定するとともに、その判定結果を表示する表示手段を備えることを特徴とする計器保守管理システム。
【請求項４】
請求項１から３のいずれかに記載の計器保守管理システムにおいて、
前記出力部は、前記計器番号に対応する計器データのうち過去の点検データを抽出して一覧表示する表示手段を備えることを特徴とする計器保守管理システム。
【請求項５】
請求項１から４のいずれかに記載の計器保守管理システムおいて、
前記出力部は、前記計器番号に対応する計器データのうち点検スケジュールデータを抽出して一覧表示する表示手段を備えることを特徴とする計器保守管理システム。  
【請求項６】
請求項１から５のいずれかに記載の計器保守管理システムおいて、
前記記憶部、前記入力部及び前記出力部は、ネットワークを介して携帯端末と接続可能であることを特徴とする計器保守管理システム。
【発明の詳細な説明】
【技術分野】
【０００１】
本発明は、計器保守管理システムに関する。
【背景技術】
【０００２】
従来、原子力発電所や火力発電所などの各種プラントに使用される計器（例えば、温度計や圧力計など）の保守管理にあっては、膨大な計器データ（点検データ等）を適切に管理する必要があり、例えば、計器毎に点検記録票原紙を作成して、かかる点検記録票原紙に基づいて計器を点検し、その際に収集した点検データを計器毎に管理している（例えば、特許文献１の段落［０００２］参照）。
【０００３】
より具体的には、担当者は、該当計器の前回の点検データが記録された点検記録票原紙を探し出してコピーをとり、そのコピー用紙を現場に持参して計器の点検作業を行う。その際、担当者は、当該コピー用紙を参考にして計器の校正作業を行うとともに、当該コピー用紙に校正結果を記録する。その後、担当者は、コピー用紙に記録した校正結果を正式に清書するか、或いはワープロで処理することにより、点検記録票原紙を更新して点検データを管理している。
【特許文献１】特開平７−１１３６６６号公報
【発明の開示】
【発明が解決しようとする課題】
【０００４】
しかしながら、従来の計器保守管理にあっては、例えば、計器を点検する度ごとに所定の点検記録票原紙を探し出して点検データを校正する必要があるなど、計器データの管理が著しく非効率であった。
【０００５】
本発明は、上記の問題に鑑みてなされたものであり、計器データの管理を効率的に行うことができる計器保守管理システムを提供することを目的とする。
【課題を解決するための手段】
【０００６】
上記課題を解決するために、本発明の計器保守管理システムは、計器データを計器番号と共に入力する入力部と、前記入力部から入力された前記計器データと前記計器番号とを関連付けて記憶する記憶部と、前記記憶部を参照して指定された計器番号に関連付けされた計器データを抽出するとともに該計器データを出力する出力部と、を備えることとする。  
この構成によれば、計器データをシステム管理することが可能となり、計器データの管理を効率的に行うことができる。
【０００７】
また、本発明の計器保守管理システムにおいて、前記出力部は、前記計器番号と関連付けされた計器データを含む校正入力画面を表示する手段を備え、前記入力部は、前記校正画面に計器データとしての校正結果を入力する手段を備えることとしてもよい。
【０００８】
また、前記出力部は、前記入力部から入力した計器データが許容範囲内か否かを自動判定するとともに、その判定結果を表示する表示手段を備えることとしてもよい。
【０００９】
また、前記出力部は、前記計器番号に対応する計器データのうち過去の点検データを抽出して一覧表示する表示手段を備えることとしてもよい。
【００１０】
また、前記出力部は、前記計器番号に対応する計器データのうち点検スケジュールデータを抽出して一覧表示する表示手段を備えることとしてもよい。
【００１１】
また、本発明の計器保守管理システムおいて、前記記憶部、前記入力部及び前記出力部は、ネットワークを介して携帯端末と接続可能であることが好ましい。
【発明の効果】
【００１２】
本発明の計器保守管理システムによれば、計器データの管理を効率的に行うことができる。
【発明を実施するための最良の形態】
【００１３】
以下、添付図面を参照しながら、本発明の実施形態について説明する。
【００１４】
＜計器保守管理システム１００の基本構成＞
図１は、本実施形態の計器保守管理システム１００を示す概略構成図、図２は図１のクライアントＰＣ２０の出力部２２を示す図である。
【００１５】
図１に示す計器保守管理システム１００は、計器の保守管理に必要な計器データ（例えば、点検データ）を管理するためのものであり、サーバＰＣ１０と、クライアントＰＣ２０とを有し、これらのサーバＰＣ１０及びクライアントＰＣ２０がＬＡＮ３０に接続されている。ＬＡＮ３０には、携帯用のクライアントＰＣの一種であるモバイルＰＣ４０がネットワーク５０を介して接続可能となっている。このモバイルＰＣ４０は、入力部４１と、出力部４２と、を備えている。
【００１６】
サーバＰＣ１０は、クライアントＰＣ２０の入力部から入力された計器データを計器番号と関連付けて記憶する記憶部１１を備えている。
【００１７】
クライアントＰＣ２０は、計器データを計器番号と共に入力してサーバＰＣ１０に送信する入力部２１と、サーバＰＣ１０の記憶部１１に記憶された計器データから特定の計器番号に対応する計器データのみを抽出して画面上に出力する出力部２２と、を備えている。入力部２１は、校正入力画面に計器データとしての校正結果を入力する手段を備え、出力部２２は、計器番号に該当する校正入力画面を表示する手段を備えている。
【００１８】
この出力部２２は、図２に示すように、入力部２１から入力した計器データが許容範囲内か否かを自動判定するとともに、その判定結果を表示する判定結果表示手段２２１と、計器番号に対応する計器データのうち過去の点検データを抽出して一覧表示する点検データ一覧表示手段２２２と、計器番号に対応する計器データのうち点検スケジュールデータを抽出して一覧表示する点検スケジュールデータ一覧表示手段２２３と、を備えている。
【００１９】
＜処理手順＞
次に、計器保守管理システム１００における処理手順について説明する。  
担当者は、モバイルＰＣ４０からネットワーク５０を介してＬＡＮ３０に接続し、サーバＰＣ１０にアクセスする（図１参照）。この担当者は、モバイルＰＣ４０に表示された計器保守管理システム画面２００において、計器データのダウンロード欄２０１を選択する（図３参照）。これにより、モバイルＰＣ４０の画面上には、ダウンロード計器検索指定画面３００が表示される（図４参照）。担当者は、このダウンロード計器検索指定画面３００の計器番号検索タブ３０１を選択し、例えば、計器種別項目３０２の「ＦＩＳ」を選択するとともに、表示項目３０３の「計測点名称」を選択し、さらにソートオプション３０４の「計器番号ソート」をチェックする。これにより、モバイルＰＣ４０の画面上には、検索結果一覧４００が表示され（図５参照）、例えば、計器番号の一覧４０１や計測点名称の一覧４０２が表示される（図５の場合には３０件検索）。担当者は、その一覧の中から所定の計器番号及び計測点名称を選択し、サーバＰＣ１０の記憶部１１から点検データをダウンロードする。但し、図５の場合、担当者は、計器番号及び計測点名称を選択していないので（０件選択）、点検データのダウンロードは行われない。
【００２０】
次に、担当者は、モバイルＰＣ４０からネットワーク５０を介してＬＡＮ３０に接続し、サーバＰＣ１０にアクセスする。続いて、担当者は、モバイルＰＣ４０に表示された計器保守管理システム画面２００において、点検データのアップロード欄２０２を選択する（図６参照）。モバイルＰＣ４０の画面上には、計器検索指定画面５００が表示される（図７参照）。担当者は、この計器検索指定画面５００の計器番号検索タブ５０１を選択し、前述と同様にして計器種別欄５０２の「ＦＩＳ」を選択するとともに、表示項目５０３の「計測点名称」を選択し、さらにソートオプション５０４として「計器番号ソート」をチェックする。これにより、モバイルＰＣ４０の画面上には、検索結果一覧６００が表示され（図８参照）、例えば、計器番号の一覧６０１や計測点名称の一覧６０２が表示される（図８の場合には１４件検索）。担当者は、その一覧の中から所定の計器番号及び計測点名称を選択し（図８の場合には７件選択）、その点検データをサーバＰＣ１０の記憶部１１にアップロードする。
【００２１】
次に、担当者は、クライアントＰＣ２０（モバイルＰＣ４０も同機能を有している）を介して計器点検・校正試験画面７００を表示させる（図９参照）。担当者は、画面上の「入力特性試験」タブ７０１を選択して、計器番号欄７０２に計器番号（図９の場合には「ＬＳ２９３−１Ａ」）を入力するとともに、計器精度欄７０３に所定の数値（同図の場合には４％ＦＳ（±））を入力し、その他の欄（例えば、入力レンジ欄７０４や出力レンジ欄７０５など）にも所定の数値を入力する。但し、これらの数値が各欄に既に入力されている場合には、新たに数値を入力する必要はない。その上で、担当者は、データ入力欄７０６（同図の場合には調整前出力欄７０６ａ及び調整後出力欄７０６ｂ）に計器データ（同図の場合には点検データ）を入力する。クライアントＰＣ２０は、このデータ入力欄７０６に入力した計器データの誤差が計器精度欄７０３の数値（以下「判定値」という。）を満足するか否かを自動判定し、その判定結果を画面上の所定欄７０７（同図の場合には調整前誤差欄７０７ａ及び調整後誤差欄７０７ｂ）に表示する。なお、図９の場合には、調整前誤差欄７０７ａの最大値である４．７％の誤差は、計器精度欄７０４に入力した判定値４．０％を越えているので、判定結果欄７０８には「否」と表示される。
【００２２】
さらに担当者は、前述した計器点検・校正試験画面７００（図１０参照）において、「接点動作試験」タブ７１０を選択し、計器番号欄７０２に計器番号（図９の場合には図８と同一の計器番号）を入力する。その際、担当者は、許容差欄７１１及び接断差７１２欄に所定の数値（同図の場合にはそれぞれ０．２％ＦＳ（±）、０．２〜０．４ｍＡ（ＤＣ））を入力するとともに、その他の欄（例えば、計測点名称欄７１３など）にも所定項目を入力する。さらに担当者は、データ入力欄７１４（同図の場合には動作値欄７１４ａ及び復帰値欄７１４ｂ）に計器データ（同図の場合には点検データ）を入力する。
【００２３】
クライアントＰＣ２０は、このデータ入力欄７１４に入力した計器データの許容差及び接断差がそれぞれ許容差欄７１１及び接断差欄７１２に入力した数値（以下「判定値」という。）を満たすか否かを自動判定し、その判定結果を画面上の所定欄７１５（同図の場合には許容差欄７１５ａ及び接断差欄７１５ｂ）に表示する。例えば、図１０の場合、許容差欄７１５ａの最大誤差−０．３９４％ＦＳ（±）は、許容差欄７１１に入力した判定値０．２％ＦＳを満たさず、また、接断差欄７１５ａの最大誤差０．４０１％ｍＡ（ＤＣ）は、接断差欄７１２に入力した判定値０．２〜４．０ｍＡ（ＤＣ）を越えているので、ともにカラー表示されている。なお、クライアントＰＣ２０は、指定された計器番号に対応する校正入力画面を表示し、その校正入力画面に校正結果を入力するとともに、前述した点検データ一覧表示手段２２２や点検スケジュールデータ一覧表示手段２２３により、サーバＰＣ１０の記憶部１１に記憶された計器データから、過去の点検データや将来の点検スケジュールデータを抽出して画面上に一覧表示する。
【００２４】
以上の通り、本実施形態の計器保守管理システム１００にあっては、計器データが許容範囲内か否かを自動判定することが可能であり、さらに点検データや点検スケジュールデータを抽出して一覧表示することも可能となる。従って、計器保守管理システム１００によれば、計器データをシステム管理することとなり、その結果、計器データの管理を効率的に行うことができる。
【図面の簡単な説明】
【００２５】
【図１】本実施形態の計器保守管理システムを示す概略構成図である。
【図２】図１のクライアントＰＣの出力部を示す図である。
【図３】モバイルＰＣの計器保守管理システム画面（ダウンロード欄の選択）を示す図である。
【図４】モバイルＰＣのダウンロード計器検索指定画面を示す図である。
【図５】モバイルＰＣの検索結果一覧４００を示す図である。
【図６】モバイルＰＣの計器保守管理システム画面（アップロード欄の選択）を示す図である。
【図７】モバイルＰＣの計器検索指定画面を示す図である。
【図８】モバイルＰＣの検索結果一覧６００を示す図である。
【図９】クライアントＰＣの計器点検・校正試験画面（入力特性試験）を示す図である。
【図１０】クライアントＰＣの計器点検・校正試験画面（接点動作試験）を示す図である。
【符号の説明】
【００２６】
１０  サーバＰＣ
１１  記憶部
２０  クライアントＰＣ
２１  入力部
２２  出力部
３０  ＬＡＮ
４０  モバイルＰＣ
５０  ネットワーク
【図１】
2010008221.tif 000003
【図２】
2010008221.tif 000004
【図３】
2010008221.tif 000005
【図４】
2010008221.tif 000006
【図５】
2010008221.tif 000007
【図６】
2010008221.tif 000008
【図７】
2010008221.tif 000009
【図８】
2010008221.tif 000010
【図９】
2010008221.tif 000011
【図１０】
2010008221.tif 000012